(57)【要約】【課題】材料コストの上昇や偏向感度の悪化或いは画面特性の悪化を生じさせることなく、水平偏向コイルをセパレータに強固に装着固定することのできるベンドレス型偏向ヨークを提供する。【解決手段】裁頭円錐状筒体に形成されたセパレータの内側に一対の水平偏向コイル３とセパレータの外側に一対垂直偏向コイルを配置するベンドレス型偏向ヨークにおいて、セパレータ２の大径側開口部４周縁に水平偏向コイル３の拡大開口部６を固定する爪状支持体５を設けたベンドレス型偏向ヨーク１。【選択図】図１
2006252788.tif 000002
【特許請求の範囲】
【請求項１】
裁頭円錐状筒体に形成したセパレータの内側に一対の鞍型水平偏向コイルと該セパレータの外側に一対の鞍型垂直偏向コイルを配置したベンドレス型偏向ヨークにおいて、前記セパレータの大径側開口部周縁に前記水平偏向コイルの拡大開口部を固定する爪状支持体を設けたことを特徴とするベンドレス型偏向ヨーク。
【請求項２】
前記爪状支持体は前記水平偏向コイルの拡大開口部周縁の少なくとも２箇所を支持固定するよう設けられていることを特徴とする請求項１記載のベンドレス型偏向ヨーク。
【請求項３】
前記爪状支持体の当接する水平偏向コイル拡大開口部に保護テープを貼付したことを特徴とする請求項１または２記載のベンドレス型偏向ヨーク。
【発明の詳細な説明】
【技術分野】
【０００１】
本発明は、インライン型カラー陰極線管に装着されるベンドレス型偏向ヨークに関するものである。
【背景技術】
【０００２】
インライン型カラー陰極線管のネック部に装着される偏向ヨークには、偏向ヨークの偏向感度（偏向電流）を改善する目的から、水平偏向コイルのネック側を水平に形成したベンドレス型偏向ヨーク、及び水平偏向コイルのネック側と開口部側の両方を水平に形成したベンドレス型偏向ヨークが開発され多用されるようになってきている。
【０００３】
セパレータの内側に装着される水平偏向コイルはセパレータにしっかり固定される必要がある。ベンドレス型偏向ヨークの場合、水平偏向コイルのネック側にベンド部がなく水平に形成されているため、水平偏向コイルをセパレータに固定する手段が必要であり、その固定手段として、従来、図２に図示する如き固定手段、あるいは水平偏向コイルをセパレータに接着剤または粘着テープで直接固定する手段などが採用されていた。図２に図示の従来の固定手段について図に沿い説明する。装着配置される水平偏向コイル（図示せず）のネック側窓部（図示せず）に対応するセパレータ２１の位置にはセパレータ２１にスリット状に孔部２３をあけてばね性を有するよう形成した固定用突起２４がセパレータ２１の内面側に向けて設けられている。この固定用突起２４を水平偏向コイルのネック側窓部に挿入することにより、水平偏向コイルがセパレータ２１に係止される構造となっている。しかし、セパレータ２１には固定用突起２４を設けたことにより、スリット状孔部２３ができ、このスリット状孔部２３により水平偏向コイルと垂直偏向コイル（図示せず）との間の絶縁性の低下が生ずることになり、この絶縁性低下を防止するため、スリット状孔部２３を覆うように円筒状絶縁体２５が嵌着され、セパレータ２１のスリット状孔部２３を塞ぐ構成がとられていた。
【特許文献１】特許第３３５２１１９号
【発明の開示】
【発明が解決しようとする課題】
【０００４】
上述のように、従来のベンドレス型偏向ヨークの場合、水平偏向コイルをセパレータに固定する手段として、図３に図示のようにセパレータにその内面側に向かって設けられた固定用突起により水平偏向コイルをセパレータに固定するか、或いは水平偏向コイルをセパレータに直接接着剤または粘着テープを用いて固定するなどの手段が採用されていた。
【０００５】
上記図２に図示のように、セパレータにその内側に向け固定用突起を設け、この固定用突起により水平偏向コイルをセパレータに固定する手段では、水平偏向コイルをセパレータの内側に組込む際に水平偏向コイルに傷を生じさせることなく確実に固定するために、固定用突起にバネ性をもたせる必要があり、セパレータにスリット状孔部を設けて固定用突起にバネ性を付与する構造をとっていた。このため、スリット状孔部を介しセパレータの内側に配設された水平偏向コイルとセパレータの外側に配設された垂直偏向コイル間の絶縁沿面距離が短くなり、絶縁性の低下を生ずるため、スリット状孔部を覆う筒状絶縁材を設ける必要があった。この結果、材料コストの上昇をもたらす結果となっていた。また、セパレータの外側には筒状絶縁材を配設するための空間部が必要となり、セパレータの内側に配設される水平偏向コイルとセパレータの外側に配設される垂直偏向コイルおよび磁性コアとの間隔が広がり、偏向感度（消費電力）を悪化させる要因となっていた。
【０００６】
また、水平偏向コイルをセパレータに接着剤または粘着テープを用いて直接固定する手段では、水平偏向コイルをセパレータに組込む工程で水平偏向コイルの位置にずれを生じさせ易く、また水平偏向コイルの脱落を生じ易いなど組込み作業性に問題がった。また、接着剤や粘着テープによるだけでの固定であるため、外的応力に対する強度不足或いは作動中の温度上昇による接着剤や粘着テープの接着劣化により水平偏向コイルの位置にずれを生じ、テレビ画面特性の悪化を招く欠点があった。
【０００７】
そこで、本発明は、材料コストの上昇や偏向感度の悪化或いは画面特性の悪化を生じさせることなく、水平偏向コイルをセパレータに強固に装着固定することのできるベンドレス型偏向ヨークを提供することにある。
【課題を解決するための手段】
【０００８】
上記課題を解決するため、第１の観点では、本発明のベンドレス型偏向ヨークは、裁頭円錐状筒体に形成されたセパレータの内側に一対の鞍型水平偏向コイルと該セパレータの外側に一対の鞍型垂直偏向コイルを配置するベンドレス型偏向ヨークにおいて、前記セパレータの大径側開口部周縁に前記水平偏向コイルの拡大開口部を固定する爪状支持体を設けたことを構造上の特徴とする。
【０００９】
第２の観点では、本発明のベンドレス型偏向ヨークは、上記第１の観点のベンドレス型偏向ヨークにおいて、前記爪状支持体は前記水平偏向コイルの拡大開口部周縁の少なくとも２箇所を支持固定するよう設けられていることを構造上の特徴とする。
【００１０】
第３の観点では、本発明のベンドレス型偏向ヨークは、上記第１あるいは第２の観点のベンドレス型偏向ヨークにおいて、前記爪状支持体の当接する水平偏向コイル拡大開口部に保護テープを貼付したことを構造上の特徴とする。
【発明の効果】
【００１１】
本発明のベンドレス型偏向ヨークでは、セパレータにスリット状孔部を設けることがないので、水平偏向コイルと垂直偏向コイルとの間の絶縁性を確保するための筒状絶縁材の嵌入が不用となり材料費の節減が図られる。また水平偏向コイルと垂直偏向コイルおよび磁性コアとの間隔が拡がることがないので偏向感度の低下を防ぐことができる。また、温度上昇や外的応力による水平偏向コイルの位置ずれを起すことがないので、水平偏向コイルの位置ずれに起因する画面特性の悪化を招くこともなく、長期信頼性に優れる。また、水平偏向コイルの大径側開口部を爪状支持体で固定するだけの構造であるので、偏向ヨークの組立て作業性が容易となる。
【発明を実施するための最良の形態】
【００１２】
セパレータの大径側開口部周縁に爪状支持体を設け、この爪状支持体でセパレータの内側に配設される水平偏向コイルの拡大開口部をセパレータに固定する極めて簡便な構造により、水平偏向コイルをセパレータに強固にしかも確実に固定することが可能となる。
【実施例】
【００１３】
図１は、本発明のベンドレス型偏向ヨークの要部斜視図で、裁頭円錐状筒体のセパレータ２の拡大開口部４側から挿入された鞍型の水平偏向コイル３（図では一対の水平偏向コイルの片側の水平偏向コイルを示す）を示す。セパレータ２の拡大開口部４側の周縁には、爪状支持体５が水平偏向コイル３の拡大開口部６を押えるように設けられている。図１では、片側の水平偏向コイル３の拡大開口部６を２つの爪状支持体５が保持固定している。爪状支持体５が保持固定する水平偏向コイル３の拡大開口部６の個所には予め部分プレス圧部分７が施され、水平偏向コイル３を容易に保持できるようにしている。なお、図１には図示していないが、爪状支持体５が保持固定する水平偏向コイル３の拡大開口部６の部分に、爪状支持体５による水平偏向コイル３への押圧傷の発生を防止するため、保護用の粘着テープを巻くとよい。また、水平偏向コイル３をセパレータ２により強固に固定できるよう、セパレータ２にホットメルト型の接着剤を塗布し接着してもよい。
【産業上の利用可能性】
【００１４】
簡便な構造で水平偏向コイルをセパレータに極めて容易に保持固定することができ、ベンドレス型偏向ヨークの品質安定化が図られる。
【図面の簡単な説明】
【００１５】
【図１】本発明のベンドレス型偏向ヨークの要部斜視図である。
【図２】従来のベンドレス型偏向ヨークの斜視図である。
【符号の説明】
【００１６】
１    ベンドレス型偏向ヨーク
２    セパレータ
３    水平偏向コイル
４    セパレータの拡大開口部
５    爪状支持体
６    水平偏向コイルの拡大開口部
７    水平偏向コイルのプレス圧部分
【図１】
2006252788.tif 000003
【図２】
2006252788.tif 000004